(57)【要約】【課題】上吊式引き戸サッシの障子においても、網戸の下部を有効に支持する上吊式引き戸サッシにおける網戸支持構造。【解決手段】引き戸枠１の上部に内障子ａと外障子ｂを上吊りするレールを設けた上吊式引き戸サッシにおいて、上記引き戸枠１には、内障子ａの屋内側に沿って網戸３６上レール１０を設け、内障子ａの下部から網戸３６の下方に網戸下レール２４を延出し、網戸３６の上部を上記網戸３６上レール１０に係合させ、網戸下レール２４を上記網戸３６の下部に沿って設けられた係合溝に係合させた。【選択図】図２
2008019587.tif 000002
【特許請求の範囲】
【請求項１】
引き戸枠の上部に複数の障子を上吊りするレールを設けた上吊式サッシにおいて、
上記引き戸枠の屋内側又は屋外側には網戸上レールを設け、この網戸上レールに対応する上記障子の下部から網戸下レールを延出し、網戸の上部を上記網戸上レールに係合させ、上記網戸下レールを上記網戸の下部に沿って設けられた係合溝に係合させたことを特徴とする上吊式引き戸サッシにおける網戸支持構造。
【請求項２】
上記障子の下部にはボトムケースを上下調整可能に設け、このボトムケースに上記網戸下レールを一体又は別体に設けたことを特徴とする、請求項１に記載の上吊式引き戸サッシにおける網戸支持構造。
【請求項３】
上記網戸下レールは、網戸上レールに対応する上記障子の召合せ框の屋内側又は屋外側に延出され、かつ上記網戸は開閉時に上記召合せ框に設けられた鍵穴と干渉しない位置に配置されるようにしたことを特徴とする、請求項１又は２に記載の上吊式引き戸サッシにおける網戸支持構造。
【発明の詳細な説明】
【技術分野】
【０００１】
本発明は、障子を吊った状態で摺動させる上吊式引き戸サッシにおける網戸の支持構造に関する。
【背景技術】
【０００２】
一般に、風除室などの出入り口には上吊り式の障子が設置されている。ー障子は引き戸枠の上部に設けられたレールに障子を吊って移動させる構造であるから、障子の下部は支持がないと強風などに煽られて揺れ、障子同士がぶつかって音をたてたり、人にぶつかったりしてしまう。このため、出入り口の地面には、障子の召合せ框の下方にガイドローラを固定するとともに、このガイドローラを障子の下面に沿って形成された係合溝に係合させることにより支持させる構成が採用されている。係合溝は断面が下向きに開口するコ字形に形成され、ガイドローラはその内側に収まっているので、開閉時に外部に露出することがなく、外観が損なわれないほか、出入りの際につまずいたり、衣服や物が引っかかったりする不都合がない。
【特許文献１】特開２００４−２７８０２６公報
【発明の開示】
【発明が解決しようとする課題】
【０００３】
しかしながら、このような上吊式の障子には網戸を取り付けることは困難であった。なぜならば、網戸を上吊式にすると、同様にその下部を支持しなければならない。ところが、網戸は屋内側の障子の屋内側に設けられるので、網戸は上記障子の幅よりも小さくしなければならない。網戸を障子と同じ大きさにすると、上記障子の召合せ框に設けられた施錠用の鍵の操作の邪魔になってしまうからである。したがって、ガイドローラは上記召合せ框よりも網戸側か、網戸よりも遠い側に配置しなければならない。しかし、網戸側に配置すると、網戸を反対側に移動させたとき、網戸はガイドローラから外れてしまい、網戸よりも遠い側に設けると、その状態では網戸は支持されないことになる。どちらに配置しても、網戸を支持することはできない。以上のような理由により、上吊式の障子に網戸を取り付けることはできなかった。
【０００４】
本発明は上述の問題点を解消し、上吊式引き戸サッシの障子においても、網戸の下部を有効に支持することができる網戸支持構造を提供することをその課題とする。
【課題を解決するための手段】
【０００５】
前記課題を解決するため、請求項１に係る発明は、引き戸枠の上部に複数の障子を上吊りするレールを設けた上吊式引き戸サッシにおいて、上記引き戸枠の屋内側又は屋外側には網戸上レールを設け、この網戸上レールに対応する上記障子の下部から網戸下レールを延出し、網戸の上部を上記網戸上レールに係合させ、上記網戸下レールを上記網戸の下部に沿って設けられた係合溝に係合させたことを特徴とする。
【０００６】
請求項２に係る発明は、請求項１において、上記障子の下部にはボトムケースを上下調整可能に設け、このボトムケースに上記網戸下レールを一体又は別体に設けたことを特徴とする。
【０００７】
請求項３に係る発明は、請求項１又は請求項２において、上記網戸下レールは、網戸上レールに対応する上記障子の召合せ框の屋内側又は屋外側に延出され、かつ上記網戸は開閉時に上記召合せ框に設けられた鍵穴と干渉しない位置に配置されるようにしたことを特徴とする。
【発明の効果】
【０００８】
請求項１に係る発明によれば、網戸は障子の屋内側又は屋外側に沿って設けられた網戸上レールと、内障子の下部から延出された網戸下レールとによって上下で支持されているので、風等によってあおられることがない。
【０００９】
請求項２に係る発明によれば、網戸の大きさに対応してボトムケースを上下調整すればよいので、網戸を容易、確実に取り付けることができる。
【００１０】
請求項３に係る発明によれば、障子は網戸よりも幅広であり、網戸下レールは召合せ框の戸先側の端部まで形成することができるので、網戸がどの位置にあっても確実に支持することができる。
【００１１】
また、網戸下レールは、網戸上レールに対応する上記障子の召合せ框の屋内側又は屋外側に延出され、かつ上記網戸は開閉時に上記召合せ框に設けられた鍵穴と干渉しない位置に配置されているので、網戸は障子よりも幅狭であっても、網戸下レールから外れることがないので、常に網戸を円滑かつ確実に開閉することができる。
【発明を実施するための最良の形態】
【００１２】
図１は本発明に係る上吊式引き戸サッシの正面図、図２（ａ）（ｂ）はそれぞれ図１のＸ−Ｘ線上の上部及び下部の断面図であり、図３は図１のＹ−Ｙ線上の断面図である。
【００１３】
上図において符号１は引き戸枠を示す。この引き戸枠１は上枠１ａと両側の縦枠１ｂと無目２とを枠組みしてなるもので、例えば風除室の出入り口に配設されているものとする。なお、縦枠１ｂの無目２の下方には増縦枠１ｃが一体的に結合されている。増縦枠１ｂには障子の戸尻側の収容部が形成されている。
【００１４】
引き戸枠１には屋内側の内障子ａと屋外側の外障子ｂとが引き違い摺動可能に設けられている。すなわち、無目２の内側下部には垂直縁３ａと水平縁３ｂとから断面十字形に形成されたレール部材３が配置され、水平縁３ｂの内外には突条状の障子レール４が形成されている。
【００１５】
なお、無目２の上記レール部材３の屋外側と屋内側にはそれぞれ無目カバー５が着脱自在に設けられている。
【００１６】
また、図２（ｂ）及び図４に示されるように、上記無目２の下方に位置する地面（コンクリート面でも金属面でもよい）の中央部には障子案内用のガイドローラ６が固定されている。ガイドローラ６は金属金具７の上部に設けられた垂直軸に回転自在に設けられている。
【００１７】
次に、図２（ａ）及び図６に示されるように、屋内側の無目カバー５の屋内側には断面Ｊ字形の網戸上レール１０がビス止め固定されている。また、図３及び図７に示されるように、引き戸枠１の縦枠１ｂの無目２よりも下方には網戸用縦枠１１が取り付けられ、図２（ａ）及び図８に示されるように、これら網戸用縦枠１１の上端には網戸用上レールカバー１２が取り付けられている。
【００１８】
これに対し、図３及び図４に示されるように、内障子ａと外障子ｂはそれぞれ上下框１３、１４と戸尻側の縦框１５と戸先側の召合せ框１６とを方形に框組みし、内側にガラス等のパネルを嵌合保持したもので、上框１の上部には取付金具１７ａを介して戸車１７が取り付けられている。また、図２（ｂ）及び図４に示すように、下框１４の下部は下向き開口のコ字形に形成され、内部にはボトムケース１８が取り付けられている。ボトムケース１８は図５に示すように、下向きに開口した断面コ字形の本体１８ａの下端から屋内外両側に突縁１９を形成し、各突縁１９の下部には合成樹脂製のヒレ２０が取り付けられている。図５に示されるように、ボトムケース１８の端部には端部カバー２１が配置され、その上方のＬ形ブラケット２２と共締め固定されている。そして、図２（ｂ）に示されるように、上記Ｌ形ブラケット２２を縦框の長孔から通したビス２３により上下調整をして固定されている。ボトムケース１８の下部にはガイドローラ６が配置されている。
【００１９】
次に、図２（ｂ）及び図４に示されるように、内障子ａのボトムケース１８の屋内側突縁１９からは網戸下レール２４が屋内側に一体（別体でもよい）に延出形成されている。網戸下レール２４は断面がＵ字形をなし、屋内側の起立縁２５が少し長く形成されている。網戸下レール２４は、網戸上レール１０に対応する上記障子の召合せ框１６の屋内側又は屋外側に延出され、かつ上記網戸３６は開閉時に上記召合せ框１６に設けられた鍵２９の鍵穴と干渉しない位置に配置される（図３及び図８参照）。
【００２０】
また、内障子ａと外障子ｂの召合せ框１６には、図２（ｂ）、図３及び図４に示されるように、サイドローラ２６が取り付けられる。このサイドローラ２６は互いに他方の障子の下框１４のサイドに沿って形成されたガイド溝２７からその内側に入り込み、互いに離隔するような力が働いたときは互いに引き合って一定の間隔を保持するものであり、取付板２８からアーム部３０をＺ字側に延出し、その先端にローラ部３１を取り付けた構成となっている。サイドローラ２６は、予めローラ部３１を他方の下框１４のガイド溝２７からその内側の収容部３２（図２（ｂ）参照）に収容しておき、この状態で上記下框１４を召合せ框１６の切欠き部３４に嵌め込み固定する。
【００２１】
なお、上記各召合せ框１６には、互いに相対する対向面にタイト材３５が取り付けられている。
【００２２】
上記構成の引き戸枠１に障子ａ、ｂと網戸３６を吊り込むときは、まず無目カバー５を外しておき、外障子ｂと内障子ａを、それぞれそのボトムケース１８の溝の内側にガイドローラ６を収容させた状態でレール部材３の障子レール４に各障子の戸車１７を係合させる。そして、一方の下框３８からはみ出しているサイドローラ２６の取付板２８を他方の障子の召合せ框１６の戸先側の端面にビス止め固定する。その後、屋外側と屋内側から無目カバー５を取り付ければよい。
【００２３】
次に、図７及び図８に示されるように、網戸３６は上下框３７、３８と左右の縦框３９とを框組みし、これらの框の内側に形成された網体４０の上下左右の端縁を保持させて張設し、中央部を中桟４１で押さえるとともに、上框３７の上部には図２（ａ）に示されるように、戸車４４を有する摺動ガイド部材４２が結合固定されている。下框３８の下部には下方に開口する係合溝４３が形成されている。
【００２４】
なお、外障子ｂと内障子ａとを閉じ状態にしたとき、網戸下レール２４の端部は、内障子ａの召合せ框１６の戸先まで延びた状態で屋内側に突出している。
【００２５】
上記網戸３６を取り付けるときは、図７及び図９（ａ）のように、網戸３６の下框３８の係合溝４３に内障子ａの網戸下レール２４を係合させて支持させた状態で網戸３６の上部の摺動ガイド部材４２の戸車４４を無目カバー５に取り付けられた網戸上レール１０に係合させ、同図（ｂ）及び図２に示されるように、上框３７の両端の外れ止め板３３を上方に移動してビス止め固定する。その後、網戸用縦枠１１の上端に網戸用上レールカバー１２を取り付ける。これにより、図１のサッシが完成する。
【００２６】
なお、ボトムケース１８は、上述のように網戸３６の大きさに対応して上下調整すればよいので、網戸２６を容易、確実に取り付けることができる。
【００２７】
上記構成によれば、閉じ状態にあるとき、不安定となる内障子ａと外障子ｂの召合せ框１６側の下部は、ボトムケース１８に係合するガイドローラ６によって支持されるので、風による煽りを有効に防止することができる。
【００２８】
また、内障子ａと外障子ｂに固定されたサイドローラ２６は、互いに他方の障子の下框に形成されたガイド溝２７からその収容部内に収容され、内障子ａと外障子ｂに互いに離隔するような力が働いたときは互いに引き合い、また互いに接触するような力が働いたときは互いに押し合うように作用して一定の間隔を保持するようになっているので、快適に開閉操作することができるとともに、破損や故障を防止することができる。
【００２９】
また、外障子ｂを開いたとき、必要に応じて網戸３６を図３の鎖線で示すように開放側に移動させて開放部を閉じて虫の侵入を防止することができる。このとき、網戸３６は内障子ａの屋内側に沿って設けられた網戸３６上レール１０と、内障子ａの下部から延出された網戸下レール２４とによって上下で支持されているので、風等によって煽られることがない。
【００３０】
また、障子ａ、ｂは網戸３６よりも幅広であり、網戸下レール２４の端部は、内障子ａの召合せ框１６の戸先側の端部まで延びているから、網戸３６がどの位置にあっても確実に支持することができる。
【００３１】
これに関連し、網戸下レール２４は、網戸上レール１０に対応する上記障子ａ、ｂの召合せ框１６の屋内側に延出され、かつ上記網戸３６は開閉時に上記召合せ框１６に設けられた鍵２９の鍵穴と干渉しない位置に配置されているので、網戸３６は障子ａ、ｂよりも幅狭であっても、網戸下レール２４から外れることがないので、常に網戸３６を円滑かつ確実に開閉することができる。
【００３２】
なお、上述の例は、網戸を屋内側に配置した例であるが、網戸は屋外側に配置してもよい。この場合、網戸上レールと網戸下レールも屋外側に配置される。
【図面の簡単な説明】
【００３３】
【図１】本発明に係る上吊式引き戸サッシの正面図
【図２】（ａ）（ｂ）は図１のＸ−Ｘ線上の上部及び下部の断面図
【図３】図１のＹ−Ｙ線上の断面図
【図４】上記サッシの網戸を除く分解斜視図
【図５】網戸下レールの一部の取付態様説明図
【図６】無目カバーと網戸上レールの取付態様説明図
【図７】網戸の取付態様説明図
【図８】網戸用上レールカバーの取付態様説明図
【図９】（ａ）（ｂ）は網戸の取付態様を説明する断面図
【符号の説明】
【００３４】
ａ    内障子
ｂ    外障子
１０  網戸上レール
２４  網戸下レール
３６  網戸
４３  係合溝
【図１】
2008019587.tif 000003
【図２】
2008019587.tif 000004
【図３】
2008019587.tif 000005
【図４】
2008019587.tif 000006
【図５】
2008019587.tif 000007
【図６】
2008019587.tif 000008
【図７】
2008019587.tif 000009
【図８】
2008019587.tif 000010
【図９】
2008019587.tif 000011